(57)【要約】      （修正有）【課題】財力の乏しい家庭の子息でも入学を可能にし、教育に経済的差別をつけることなく、学生に等しく教育する機会を提供する。【解決手段】入学金返還・支援システムは、学生が入学時に納付した入学金と、入学時に契約した損害保険会社との入学金額に相当する保険金と、入学時に借入れた融資会社との入学金額に相当する融資金を、各学生入学金別、各学生保険金別、並びに各学生融資金別に管理する学生別入学金管理サーバと金融機関の決済サーバ、損害保険会社の決済サーバと融資会社の決済サーバとが接続され、学生と学校との決済で、予め学校が定めた入学金返還割合に基づき引当された入学金返還金学校が学生が進級毎に返還され、学生と損害保険会社との決済で、損害保険会社が引当した支払保険金が学生の中途退学時に支払われ、学生と融資会社との決済で、学生が支払う融資返済金が学生が進級毎、卒業時或いは中途退学時に、融資会社に返済される。【選択図】図１
2009252227.tif 000002
【特許請求の範囲】
【請求項１】
学生が入学時に学校に納付した入学金を、各学生入学金別に管理する少なくとも一つの学生別入学金管理サーバと金融機関の決済サーバと接続されて、学生と学校との決済において、予め学校が定めた入学金返還割合に基づき引当された入学金返還金が前記金融機関決済サーバを介して、学生が進級毎並びに卒業時に返還されるように配分されることを特徴とする入学金返還システム。
【請求項２】
学生が入学時に契約した損害保険会社との入学金額に相当する保険金を、各学生保険金別に管理する少なくとも一つの学生別入学金管理サーバと金融機関の決済サーバと損害保険会社の決済サーバと接続されて、学生と損害保険会社との決済において、損害保険会社が引当した支払保険金が前記金融機関決済サーバを介して、学生の中途退学時に支払われるように配分されることを特徴とする入学金返還・支援システム。
【請求項３】
学生が入学時に借入れた融資会社との入学金額に相当する融資金を、各学生融資金別に管理する少なくとも一つの学生別入学金管理サーバと金融機関の決済サーバと融資会社の決済サーバと接続されて、学生と融資会社との決済において、学生が支払う融資返済金が前記金融機関決済サーバを介して、学生が進級毎或いは中途退学時に融資会社に返済されるように配分されることを特徴とする入学金返還・支援システム。
【請求項４】
学生が入学時に学校に納付した入学金と、学生が入学時に契約した損害保険会社との入学金額に相当する保険金と学生が入学時に借入れた融資会社との入学金額に相当する融資金を、各学生入学金別、並びに各学生保険金別並びに、各学生融資金別に管理する少なくとも一つの学生別入学金管理サーバと金融機関の決済サーバと損害保険会社の決済サーバと融資会社の決済サーバと接続されて、学生と学校との決済において、予め学校が定めた入学金返還割合に基づき引当された入学金返還金が前記金融機関決済サーバを介して、学生が進級毎に返還されるように配分され、学生と損害保険会社との決済において、損害保険会社が引当した支払保険金が前記金融機関決済サーバを介して、学生の中途退学時に支払われるように配分され、学生と融資会社との決済において、学生が支払う融資返済金が前記金融機関決済サーバを介して、学生が進級毎並びに卒業時或いは中途退学時に、融資会社に返済されるように配分されることを特徴とする入学金返還・支援システム。
【発明の詳細な説明】
【技術分野】本発明は、過去に無い斬新な入学金返還・支援システムである。
【背景技術】従来、入学金を受取った学校は、入学金を、学校経営の経費として充当しているのが実態であり、学生に対して入学金を返還する発想がない。一部団体において、奨学金制度があり一時貸付制度はあるものの、学校側においては、入学金を受取ることに変わりはないし、学生側に入学金を返還することもない。入学金の免除或いは減額等を、特待生など一部の学生に対しては適用しているが、これは入学金を予め、免除或いは減額をするものであって、返還ではない。学校経営は、少子化時代の到来や、昨今の格差社会における保護者の失業等で、学生獲得が非常に困難となってきている上、学生の中途退学率は年々増加傾向にあることから、不安定となる傾向が見受けられる。全入時代に入り、大学校は学生獲得のため、カリキュラムを多様化して新しい学部を増設したり、場合によっては小・中・高校部を新設して、学生獲得を目論んでいるが、却って学校側の経営資金を圧迫化させている。特に最近の大学校の広報活動（芸能人・アイドル歌手・スポーツ選手・タレント化した教授等を利用したコマーシャル・テレビ出演等）による学生獲得競争は、費用の拡大傾向が見られるものの、その効果はあまり上がっていない。
【発明の開示】
【発明が解決しようとする課題】しかしながら、このような方式では、学生獲得のための一時的な解決策ではあるものの、長期的な教育のビジョンに則った経営が期待出来ないのが現状である。
本発明は、上記のような実情に鑑み、少子化時代の到来による入学者数の低下や、昨今の格差社会における保護者の失業等に起因する学生の中途退学率の増加を防ぐため、学生側が学校に納付した入学金を、学生が卒業するまでに漸次返還する入学金返還・支援システムを提供することにより、学校側は学生獲得を容易にすると共に、学生が経済的な理由で教育の場から離れて行く要因を低減化するものである。
本出願の意義は下記の通りである。
▲１▼財力の乏しい家庭において、子息の教育の支援となる。
▲２▼学生が金銭的事由により進学を諦めることなく、自主的に進学を目指すための支援となる。
▲３▼学校は、「教育」に経済的差別をつけることなく、学生に等しく「教育」を提供することができる。
【課題を解決するための手段】上記の目的を達成するための本発明に係る入学金返還・支援システムは、学生が入学時に学校に納付した入学金と、学生が入学時に契約した損害保険会社との入学金額に相当する保険金と、学生が入学時に借入れた融資会社との入学金額に相当する融資金を、各学生入学金別、並びに各学生保険金別、並びに各学生融資金別に管理する少なくとも一つの学生別入学金管理サーバと金融機関の決済サーバと損害保険会社の決済サーバと融資会社の決済サーバとが接続されて、学生と学校との決済において、予め学校が定めた入学金返還割合に基づき引当された入学金返還金学校が前記金融機関決済サーバを介して、学生が進級毎に返還されるように配分され、学生と損害保険会社との決済において、損害保険会社が引当した支払保険金が前記金融機関決済サーバを介して、学生の中途退学時に支払われるように配分され、学生と融資会社との決済において、学生が支払う融資返済金が前記金融機関決済サーバを介して、学生が進級毎並びに卒業時或いは中途退学時に、融資会社に返済されるように配分されることを特徴とする入学金返還・支援で充当する。
【発明の効果】請求項１の記載に係る説明によれば、入学時に、学生が自己の資金で、入学金を学校に納付しなければならないが、卒業までの各年度毎に分割して入学金額（全額）の返還を受けることにより、学生側の経済的負担を軽減することができる。
請求項２の記載に係る説明によれば、入学時に、学生が自己の資金で、入学金を学校に納付しなければならないが、退学までの各年度毎に分割して入学金額の返還（一部）を受けるとともに、保険会社から保険金（入学金の一部）の支払いを受けることができ、学生側の経済的負担を軽減することができる。一方学校側は、学生の退学時以降の年度については返還しなくても良いことから、学校経営の費用に充当できる。損害保険会社は、事業として新商品を発売し、保険料収入が得られる。
請求項３の記載に係る説明によれば、学生は、入学時に入学金額を借入することができるため、予め自己の資金を用意する必要が無い。また、退学までの各年度毎に返還される入学金（一部）を、借入金の返済に充当することができるため、学生の経済的負担を入学時から、より軽減することができる。一方学校側は、学生の退学時以降の年度については返還しなくても良いことから、学校経営の費用に充当できる。融資会社は、事業として融資利息収入が計れる。
請求項４の記載に係る説明によれば、学生は、入学時に入学金額を借入することができるため、予め自己の資金を用意する必要が無い。また退学までの各年度毎に分割して返還される入学金（一部）と、損害保険会社から保険金（入学金の一部）の支払いを受けることができ、借入金の返済に充当することができるため、学生の経済的負担を入学時から、より軽減することができる。融資会社は事業として、融資利息収入が計れる。損害保険会社は、事業として新商品を発売し、保険料収入が得られる。一方学校側は、学生の退学時以降の年度については返還しなくても良いことから、学校経営の費用に充当できる。
【発明を実施するための最良の形態】以下に本発明の実施の形態を、図面を用いて詳細に説明する。
図１は、学生Ｓが、入学金Ａを学校Ｕに納付して卒業或いは退学するまでの入学金の返還形態と、保険契約を締結して卒業或いは退学するまでの損害保険会社の保険金の支払形態と、入学金相当額を借入（有利子）し、入学金Ａを学校に納付して卒業或いは退学するまでの融資会社Ｌへの借入金Ａの返済形態を示す本発明の全体フロー図である。
図２は、本発明に係る入学金返還・支援システムのブロックダイヤグラムである。
入学金返還・支援システムは、インターネットなどのネットワーク０６に接続される学校Ｕに設置されて学生カードＣを発行してそのカードナンバーを管理する学校サーバ０１と、ネットワーク０９に接続されて独自の損害保険を管理する損害保険サーバ０２と、ネットワーク０８に接続されて独自の融資を管理する融資会社サーバ０３と、前記ネットワーク０６、０７、０８、０９に接続されて管理を行う入学金サーバ０５と、学校ネットワーク０６に接続されて他のサーバにアクセスして制御可能な端末１０を備えている。
図３は、金融機関管理手段と融資会社管理手段と損害保険会社管理手段と学校管理手段は、それぞれインターネットなどのネットワークと接続されている。学生は学生カードＣをカードリーダＣＲを利用して、入学金情報、損害保険情報、融資情報をタイムリーに知ることが出来る。
【産業上の利用可能性】本発明は、学校が学生を円滑に入学させる産業分野で利用でき、損害保険会社が保険商品を販売する産業分野で利用でき、融資会社が融資を行う産業分野で利用できる。
【図面の簡単な説明】
【図１】本発明の全体の概略を示すフロー図である。
【図２】本発明に係る入学金返還・支援システムのブロックダイヤグラムである。
【図３】本発明の実施の形態の入学金返還・支援システムの全体を示す概略構成図である。
【符号の説明】
Ｓ．学生
Ｕ．学校
Ｃ．学生カード
Ｌ．融資会社
Ｉ．損害保険会社
Ｂ．金融機関
Ｈ．保険料
ＣＲ．カードリーダ
Ａ．入学金の額
Ａ１．２年進級時の入学金返還額
Ａ２．３年進級時の入学金返還額
Ａ３．４年進級時の入学金返還額
Ａ４．卒業時の入学金返還額
Ｘ１．入学時から１年間の融資利息額
Ｘ２．２年進級時から１年間の融資利息額
Ｘ３．３年進級時から１年間の融資利息額
Ｘ４．４年進級時から１年間の融資利息額
０１  学校サーバ
０２  損害保険会社サーバ
０３  融資会社サーバ
０４  金融機関サーバ
０５  入学金サーバ
０６  学校ネットワーク
０７  プライベートネットワーク
０８  プライベートネットワーク
０９  プライベートネットワーク
１０  端末装置
【図１】
2009252227.tif 000003
【図２】
2009252227.tif 000004
【図３】
2009252227.tif 000005